(57)【特許請求の範囲】
【請求項１】
一対の自走用ローラ間に画像読取窓を有する携帯型画像読取装置と、この画像読取窓を上面にして前記携帯型画像読取装置を内部に配設する枠体と、前記自走用ローラに当接すると共にこの枠体に回転自在に取り付けられる一対の従動ローラと、前記枠体に対し脱着可能かつ前記枠体の長手方向に沿ってスライド可能に取り付けられる一対の門形脚体と、この門形脚体の中央部に交換可能に配設すると共に円柱体を回転可能に保持するホルダと、この円柱体を前記画像読取窓の直上に配置するため前記ホルダに備える調整ネジと、前記従動ローラと前記円柱体を連結する複数の帯材を有することを特徴とする円柱体画像読込装置。
【請求項２】
前記帯材は、前記従動ローラと前記円柱体をバンドリングする粘着テープであることを特徴とする請求項１記載の円柱体画像読込装置。
【発明の詳細な説明】
【０００１】
【発明の属する技術分野】
この発明は、岩石、コンクリート等で作成する円柱供試体や鉄筋その他棒状部材の側面の展開画像をスキャニングする円柱体画像読込装置に関する。
【０００２】
【従来の技術】
山岳地にダムを建設する場合やトンネルを掘削する場合には、設計時、施工計画立案時、更には施工中の各段階に応じて様々な地質調査を行わねばならない。地質調査には地質踏査、弾性波探査、ボーリング調査、岩石等の試料試験が用いられる。地質踏査とは露頭の観察によって、岩質、層理面の走向、傾斜、断層、褶曲構造等の地質学的情報を得たり、岩の硬軟、割目の状態、風化程度、変質度、破砕度等の土木地質学的情報を得たりするものである。又、弾性波探査は人工的に発生させた弾性波動の伝播を観測し、地層の動弾性的性質の差異により、地下の構造と物性を調べる方法である。
【０００３】
又ボーリング調査は、踏査・弾性波探査等の間接的な方法では限界のある地下の正確な状況を判断するため、ボーリングにより採取したコアを観察したり、掘進記録を解析したり、あるいはボーリング孔を利用した各種孔内試験を行うことで地下の地質状態を直接判断するものである。
【０００４】
岩石の試料試験はこのような踏査やボーリングによって採取した岩石、コア等の試料の物理的・化学的試験を行うもので、地質のより精密な情報を得るものである。岩石試料は風化、亀裂状態、方向性、含水状態等を考慮して採取し、その圧縮強度、硬度、鉱物組成などを調べている。
【０００５】
この岩石試験を行う方法は統一的に規格化されておらず、目的により又人によって適当な方法が用いられているのが現状であるが、その一つとして、円柱に成形した岩石片の供試体を単純圧縮により圧縮強度を調べるものがあり、この試験を行う場合には供試体の形状・寸法・応力の範囲・加圧速度・含水率等を記録すると共に、試験前後の展開図、亀裂の方向等の外観を併記している。これは、岩石はその不均質性及び異方性のために、同一ブロックから採取した試料であっても物理的性質の値がバラツクからで、特に層理又は片理の明らかな岩石については明らかな異方性が認められており、潜在亀裂の存在によっても圧縮強度は大きく異なってしまう。
【０００６】
従来このような岩石試験を行う場合には、目視で外観を観察してその特徴を文章で記述したり、試験前後の供試体の側面をスケッチあるいは写真を複数枚撮影してその展開図を作成していた。
【０００７】
又、近年では供用されている鉄筋コンクリート構造物の経年変化を確認するため、躯体よりコンクリートコアや鉄筋を取り出し、これらの各種試験を行うと共にその状態を目視で観察し、側面の展開図を同様な手法で作成していた。
【０００８】
【発明が解決しようとする課題】
しかし、従来の岩石試験等で展開図作成に要する時間は決して短いものではなく、試料数が多い場合にはその整理保存作業も煩雑であった。又、外観観察やスケッチには個人差があるため試料の特徴把握に差異が生ずる恐れもあった。又、外観観察では把握できない潜在亀裂の存在が試験後に問題となる場合もあった。
【０００９】
この発明は、上記課題を解決し、岩石等の円柱体の側面展開図作成に要する時間を大幅に削減して作業効率のアップを図ると共に、正確な地質構造の読込保存を実現し、データの処理・保存も容易で、潜在亀裂の有無の確認も可能な円柱体画像読込装置を提供することを目的としている。
【００１０】
【課題を解決するための手段】
上記課題を解決するため、この発明の円柱体画像読込装置は、一対の自走用ローラ間に画像読取窓を有する携帯型画像読取装置と、この画像読取窓を上面にして前記携帯型画像読取装置を内部に配設する枠体と、前記自走用ローラに当接すると共にこの枠体に回転自在に取り付けられる一対の従動ローラと、前記枠体に対し脱着可能かつ前記枠体の長手方向に沿ってスライド可能に取り付けられる一対の門形脚体と、この門形脚体の中央部に交換可能に配設すると共に円柱体を回転可能に保持するホルダと、この円柱体を前記画像読取窓の直上に配置するため前記ホルダに備える調整ネジと、前記従動ローラと前記円柱体を連結する複数の帯材を有することを特徴とするものである。
【００１１】
円柱体は従動ローラ間に載置不能な小径の部材、例えば鉄筋等が対象となる。
【００１２】
請求項２記載の円柱体画像読込装置は、帯材が前記従動ローラと前記円柱体をバンドリングする粘着テープであることを特徴とするものである。
【００１３】
帯材を粘着テープとし従動ローラと円柱体をバンドリングすることにより滑りを生ぜずに回転駆動を伝達する。
【００１４】
【発明の実施の形態】
次にこの発明の実施の形態を添付図面に基づき詳細に説明する。図１は円柱体画像読込装置の斜視図、図２は同装置の概略構造を示す断面図である。円柱体画像読込装置１は、枠体２の内部に携帯型画像読取装置３を、その画像読取窓４を上面にして配設する。携帯型画像読取装置３は一般にハンディスキャナと呼ばれる手動走査型の画像読取装置であって、図２に示すように本体ケース５内にモータ６を内蔵し、このモータ６によりギア７ａ，７ｂ，７ｃ，７ｄを介して一方の自走用ローラ８を回転させる。この自走用ローラ８と他方の自走用ローラ９間にはタイミングベルト１０が巻着しており両者を同期させて回転する。
【００１５】
枠体２に回転自在に取り付けられる従動ローラ１１，１２は、自走用ローラ８，９に夫々当接し、その軸間距離は従動ローラ１１，１２間に載置する円柱供試体１３の側面下端１３ａが画像読取窓４の直上に位置するよう調整される。この円柱供試体１３の直径は例えばφ３０ｍｍ〜φ５０ｍｍのものが採用される。
【００１６】
円柱体画像読込装置１は、図示しない外部装置であるパーソナルコンピュータに接続しており、操作者が読取開始の指令を出すと、モータ６が駆動され自走用ローラ８が矢印方向に回転を始める。同時に携帯型画像読取装置３の発光素子（ＬＥＤ）アレイ１４にて照明された円柱供試体１３の側面像はセルフォック（登録商標）レンズ１５によりＣＣＤラインセンサ１６の受光面に結像する。
【００１７】
一方自走用ローラ８，９の回転駆動により従動ローラ１１，１２が回転し、これにより円柱供試体１３を順次回転させながら副走査移動を行い側面の画像を読み取る。携帯型画像読取装置３の図示しないＣＰＵからなる制御回路は、モータ６、ＬＥＤ１４、ＣＣＤ１６を動作させ、ＣＣＤ１６にて読み取った画像データを外部装置に送り出し、読み取られた画像をディスプレイに表示する。この画像データに特定の画像処理を施し、強調表示することで、肉眼では見え難い潜在亀裂等を画像表示することも可能になる。
【００１８】
次に他の実施形態を図３に基づき説明する。図３に示す円柱体画像読込装置１０１は、鉄筋等の小径の円柱体１１３を回転可能に保持する一対の門形脚体１７，１７と、従動ローラ１１１と円柱体１１３を連結する複数の帯材１８を有する。門形脚体１７は円柱体画像読込装置１０１の枠体１０２に脱着可能な構成で、中央部に高さ調整可能なホルダ１９を設け、調整ネジ２０により円柱体１１３を携帯型画像読取装置３の画像読取窓１１４の直上に配置する。門形脚体１７は枠体１０２の長手方向に沿ってスライド可能であり、円柱体１１３の長さに応じて取付位置の変更が可能である。又ホルダ１９を交換することで径の異なる円柱体にも対応可能である。
【００１９】
帯材１８は従動ローラ１１１，１１２と円柱体１１３をバンドリングする透明粘着テープであって、自走用ローラ１０８，１０９の回転駆動を円柱体１１３に滑りを生ぜずに伝達する部材である。
【００２０】
【発明の効果】
以上説明したように、この発明の円柱体画像読込装置は、携帯型画像読取装置を内部に配設する枠体に対して一対の門形脚体を取り付け、この門形脚体の中央部にあるホルダに円柱体を回転可能に保持し、携帯型画像読取装置の自走用ローラの回転駆動により従動ローラを回転させ、更に従動ローラと円柱体を複数の帯材で連結し円柱体を順次回転させながら円柱体の側面の画像を読み込むので、円柱体の側面展開図作成に要する時間を大幅に削減して作業の効率化を図ることができる。又、円柱体の側面を忠実かつ高画質で再現することができる。又、画像は磁気記録媒体等に保存できるのでデータの処理・保存も容易となる。又、読み込んだ画像データに特定の画像処理を施すことで潜在亀裂の有無の確認も可能となる。
【００２１】
門形脚体は枠体に対して脱着可能かつ枠体の長手方向に沿ってスライド可能に取り付けられると共に、ホルダが交換可能であり、かつ画像読取窓の直上に配置するための調整ネジを備えるので長さや径の異なる円柱体にも対応可能である。又請求項２記載の円柱体画像読込装置は、帯材が従動ローラと円柱体をバンドリングする粘着テープであるので滑りを生ぜずに回転駆動を伝達することができる。
【図面の簡単な説明】
【図１】円柱体画像読込装置の斜視図である。
【図２】円柱体画像読込装置の概略構造を示す断面図である。
【図３】他の実施形態の円柱体画像読込装置の斜視図である。
【符号の説明】
１  円柱体画像読込装置
２  枠体
３  携帯型画像読取装置
８  自走用ローラ
１１  従動ローラ
１３  円柱供試体
【図１】
0004014342.tif 000002
【図２】
0004014342.tif 000003
【図３】
0004014342.tif 000004